(57)【要約】【課題】主に各種電子機器の遠隔操作に用いられるリモコン送信機に関し、操作部の戻り不良を防ぎ、確実な操作が可能なものを提供することを目的とする。【解決手段】操作体１５の操作部１５Ａの薄肉部１５Ｆとベース部１５Ｇの間に、上方へ延出する略額縁状の脚部１５Ｈを設けることで、ベース部１５Ｇから上方へ延出する略額縁状の脚部１５Ｈによって、操作部１５Ａ外周の薄肉部１５Ｆが上方に形成され、端部を押圧操作した場合でも、操作部１５Ａの傾きを小さなものにできるため、操作部１５Ａの戻り不良を防ぎ、確実な操作が可能なリモコン送信機を得ることができる。【選択図】図１
2013157970.tif 000002
【特許請求の範囲】
【請求項１】
略箱型で上面に開口孔が形成されたケースと、このケースの開口孔から突出する操作部の外周が、略ドーム状の薄肉部を介してベース部に連結された操作体と、上記操作部の上下動に応じて電気的接離を行うスイッチ接点と、このスイッチ接点の電気的接離に応じて、送信手段からリモコン信号を送信する制御手段からなり、上記操作体の薄肉部とベース部の間に、上方へ延出する略額縁状の脚部を設けたリモコン送信機。
【請求項２】
操作体の操作部下面に、窪部を設けた請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を行うものが増えている。
【０００３】
このような従来のリモコン送信機について、図７〜図１０を用いて説明する。
【０００４】
図７は従来のリモコン送信機の断面図、図８は同平面図であり、同図において、１は略箱型で絶縁樹脂製のケース、２はゴム等の操作体で、操作体２には外周下端が略ドーム状の薄肉部２Ａを介して、ベース部２Ｂに連結された複数の操作部２Ｃや２Ｄ等が設けられると共に、この複数の操作部２Ｃや２Ｄ等が、ケース１上面の複数の開口孔から上下動可能に突出している。
【０００５】
そして、３は上下面に複数の配線パターン（図示せず）が形成された配線基板で、この上面に操作体２が載置されると共に、配線基板３上面にはカーボン等の複数の固定接点４が設けられ、この固定接点４が複数の操作部２Ｃや２Ｄ等の下面に形成されたカーボン等の可動接点５と、所定の間隙を空けて対向して複数のスイッチ接点が形成されている。
【０００６】
また、６は絶縁樹脂製の扉体、７はゴム等の押圧体で、押圧体７上面には下端外周に略ドーム状の薄肉部が形成された、複数の押圧部７Ａや７Ｂ等が設けられると共に、この複数の押圧部７Ａや７Ｂ等が、扉体６上面の複数の開口孔から上下動可能に突出している。
【０００７】
さらに、８は板状で絶縁樹脂製の保持板で、この保持板８が扉体６下面を覆い固着されて、押圧体７が扉体６内に収納されると共に、保持板８下面の複数の開口孔からは、複数の押圧部７Ａや７Ｂ等の下端が突出している。
【０００８】
そして、扉体６がケース１上面に左右方向へ摺動可能に装着されると共に、この扉体６が閉じて、操作部２Ｄ等を覆った状態では、複数の押圧部７Ａや７Ｂ等の下端が所定の操作部に、例えば押圧部７Ｂ下端が操作部２Ｄに当接している。
【０００９】
また、配線基板３の上下面には、発光ダイオード等のリモコン信号を送信する送信手段９や、液晶表示素子等の表示手段１０、配線パターンを介して送信手段９や表示手段１０、複数の固定接点４等に接続されたマイコン等の制御手段１１が形成されると共に、ケース１下面を絶縁樹脂製のカバー１２が覆って、リモコン送信機が構成されている。
【００１０】
なお、扉体６が閉じた状態で、この上面から突出した押圧部７Ａや７Ｂ等は電子機器の、例えば機器がエアコンであった場合、冷暖房の切換えや温度の増減等の、通常頻繁に使用される操作に用いられ、扉体６が開いた状態で、ケース１上面から突出した操作部２Ｄ等は、風量や風向の切換え、タイマーの時刻設定等の、比較的使用頻度の少ないものに用いられる。
【００１１】
以上の構成において、ケース１上面から直接突出した操作部２Ｃを指で押圧操作すると、略ドーム状の薄肉部２Ａが弾性変形して操作部２Ｃが下方へ移動し、この下面の可動接点５が複数の固定接点４と接触して、スイッチ接点の電気的接離が行われ、この電気的接離に応じて制御手段１１が、送信手段９から赤外線のリモコン信号を電子機器へ送信し、例えば、エアコンの自動運転が遠隔操作によって行われる。
【００１２】
また、扉体６が閉じた状態で、扉体６上面から突出した所定の押圧部、例えば押圧部７Ｂを押圧操作すると、略ドーム状の薄肉部が弾性変形して押圧部７Ｂが下方へ移動し、押圧部７Ｂ下端がこの下方の操作部２Ｄ上面を押圧する。
【００１３】
そして、この操作部２Ｄが略ドーム状の薄肉部２Ａを弾性変形させて下方へ移動し、この下面の可動接点５が複数の固定接点４と接触して、スイッチ接点の電気的接離が行われ、この電気的接離に応じて制御手段１１が、送信手段９から赤外線のリモコン信号を電子機器へ送信し、例えば、エアコンの暖房運転が遠隔操作によって行われる。
【００１４】
さらに、扉体６を左方へ摺動し、扉体６が開いた状態で、ケース１上面から突出した所定の操作部、例えば操作部２Ｄを押圧操作すると、略ドーム状の薄肉部２Ａが弾性変形して操作部２Ｄが下方へ移動し、この下面の可動接点５が複数の固定接点４と接触して、スイッチ接点の電気的接離が行われる。
【００１５】
そして、この電気的接離に応じて制御手段１１が送信手段９からリモコン信号を送信するが、この時、扉体６と配線基板３の間に別途設けられた検知スイッチ（図示せず）等によって、扉体６が開いた状態であることを制御手段１１が検出し、上記の押圧部７Ｂを介して押圧操作した場合とは異なるリモコン信号を電子機器へ送信して、例えば、風量や風向の切換え等が遠隔操作によって行われる。
【００１６】
つまり、制御手段１１が検知スイッチ等によって扉体６の開閉状態を検出し、複数の押圧部７Ａや７Ｂ等と操作部２Ｄ等のどちらが操作されたかを判別して、扉体６が開いて操作部２Ｄ等を直接押圧操作した場合と、扉体６が閉じて押圧部７Ａや７Ｂ等を介して押圧操作した場合とでは、異なるリモコン信号を送信することによって、遠隔操作する機能を増やし、機器のより多様な操作が可能なように構成されているものであった。
【００１７】
なお、この出願の発明に関連する先行技術文献情報としては、例えば、特許文献１が知られている。
【先行技術文献】
【特許文献】
【００１８】
【特許文献１】特開２００９−１７０３２９号公報
【発明の概要】
【発明が解決しようとする課題】
【００１９】
しかしながら、上記従来のリモコン送信機においては、扉体６や押圧部７Ａ、７Ｂ等がなく、ケース１上面から直接突出した操作部２Ｃは、図７や図９の部分斜視図に示すように、他の操作部２Ｄ等に比べ押圧部の分だけ高さ寸法が大きく、幅寸法も大きく形成されているため、図１０（ａ）の部分断面図に示すように、中央部ではなく端部、例えば左端部を指で押圧操作した場合、下端全周に薄肉部２Ａが形成されてはいるが、右側の薄肉部２Ａは殆んど弾性変形せず、左側の薄肉部２Ａのみが弾性変形して、右側の薄肉部２Ａ下端を支点として操作部２Ｃが大きく傾く。
【００２０】
そして、図１０（ｂ）に示すように、下面の可動接点５が固定接点４と接触した状態では、操作部２Ｃの左端上面がケース１上面よりも下方になり、ケース１の開口孔内周に弾接して、指を離しても左側の薄肉部２Ａのみの弾性復帰力だけでは元に戻らない場合があり、この場合には、再度指で逆側の右端上面を押圧して操作部２Ｃを元の状態に戻す必要があるため、誤操作が生じ易く、操作も煩雑なものになってしまうという課題があった。
【００２１】
本発明は、このような従来の課題を解決するものであり、操作部の戻り不良を防ぎ、確実な操作が可能なリモコン送信機を提供することを目的とする。
【課題を解決するための手段】
【００２２】
上記目的を達成するために本発明は、操作体の薄肉部とベース部の間に、上方へ延出する略額縁状の脚部を設けてリモコン送信機を構成したものであり、ベース部から上方へ延出する略額縁状の脚部によって、操作部外周の薄肉部が上方に形成され、操作部の端部を押圧操作した場合でも、操作部の傾きを小さなものにできるため、操作部の戻り不良を防ぎ、確実な操作が可能なリモコン送信機を得ることができるという作用を有するものである。
【発明の効果】
【００２３】
以上のように本発明によれば、誤操作がなく、確実な操作が可能なリモコン送信機を実現できるという有利な効果が得られる。
【図面の簡単な説明】
【００２４】
【図１】本発明の一実施の形態によるリモコン送信機の断面図
【図２】同平面図
【図３】同部分斜視図
【図４】同部分断面図
【図５】同断面図
【図６】同部分斜視図
【図７】従来のリモコン送信機の断面図
【図８】同平面図
【図９】同部分斜視図
【図１０】同部分断面図
【発明を実施するための形態】
【００２５】
以下、本発明の実施の形態について、図１〜図６を用いて説明する。
【００２６】
なお、背景技術の項で説明した構成と同一構成の部分には同一符号を付して、詳細な説明を簡略化する。
【００２７】
（実施の形態）
図１は本発明の一実施の形態によるリモコン送信機の断面図、図２は同平面図であり、同図において、１は略箱型でポリスチレンやＡＢＳ等の絶縁樹脂製のケース、１５はゴムやエラストマー等の操作体で、操作体１５には複数の操作部１５Ａや１５Ｂ等が設けられ、これらがケース１上面の複数の開口孔から上下動可能に突出している。
【００２８】
そして、操作部１５Ｂ等は外周下端が、略ドーム状の薄肉部１５Ｆを介してベース部１５Ｇに連結されているが、図１や図３の部分斜視図に示すように、これらに比べ高さ寸法も幅寸法も大きく形成された操作部１５Ａの、薄肉部１５Ｆとベース部１５Ｇの間には、上方へ延出する略額縁状の脚部１５Ｈが設けられ、薄肉部１５Ｆが操作部１５Ａ外周の上方に形成されている。
【００２９】
また、３は紙フェノールやガラス入りエポキシ等の配線基板で、上下面に銅箔等によって複数の配線パターン（図示せず）が形成され、この上面に操作体１５が載置されると共に、配線基板３上面にはカーボン等の複数の固定接点４が設けられ、この固定接点４が複数の操作部１５Ａや１５Ｂ等の下面に形成されたカーボン等の可動接点５と、所定の間隙を空けて対向して複数のスイッチ接点が形成されている。
【００３０】
さらに、６は絶縁樹脂製の扉体、７はゴムやエラストマー等の押圧体で、押圧体７上面には下端外周に略ドーム状の薄肉部が形成された、複数の押圧部７Ａや７Ｂ等が設けられると共に、この複数の押圧部７Ａや７Ｂ等が、扉体６上面の複数の開口孔から上下動可能に突出している。
【００３１】
また、８は板状で絶縁樹脂製の保持板で、この保持板８が扉体６下面を覆い固着されて、押圧体７が扉体６内に収納されると共に、保持板８下面の複数の開口孔からは、複数の押圧部７Ａや７Ｂ等の下端が突出している。
【００３２】
そして、扉体６がケース１上面に左右方向へ摺動可能に装着されると共に、この扉体６が閉じて、操作部１５Ｂ等を覆った状態では、複数の押圧部７Ａや７Ｂ等の下端が所定の操作部に、例えば押圧部７Ｂ下端が操作部１５Ｂに当接している。
【００３３】
さらに、配線基板３の上下面には、発光ダイオード等のリモコン信号を送信する送信手段９や、液晶表示素子等の表示手段１０、配線パターンを介して送信手段９や表示手段１０、複数の固定接点４等に接続されたマイコン等の制御手段１１が形成されると共に、ケース１下面を絶縁樹脂製のカバー１２が覆って、リモコン送信機が構成されている。
【００３４】
なお、扉体６が閉じた状態で、この上面から突出した押圧部７Ａや７Ｂ等は電子機器の、例えば機器がエアコンであった場合、冷暖房の切換えや温度の増減等の、通常頻繁に使用される操作に用いられ、扉体６が開いた状態で、ケース１上面から突出した操作部１５Ｂ等は、風量や風向の切換え、タイマーの時刻設定等の、比較的使用頻度の少ないものに用いられる。
【００３５】
以上の構成において、ケース１上面から直接突出した操作部１５Ａを指で押圧操作すると、略ドーム状の薄肉部１５Ｆが弾性変形して操作部１５Ａが下方へ移動し、この下面の可動接点５が複数の固定接点４と接触して、スイッチ接点の電気的接離が行われ、この電気的接離に応じて制御手段１１が、送信手段９から赤外線のリモコン信号を電子機器へ送信し、例えば、エアコンの自動運転が遠隔操作によって行われる。
【００３６】
また、扉体６が閉じた状態で、扉体６上面から突出した所定の押圧部、例えば押圧部７Ｂを押圧操作すると、略ドーム状の薄肉部が弾性変形して押圧部７Ｂが下方へ移動し、押圧部７Ｂ下端がこの下方の操作部１５Ｂ上面を押圧する。
【００３７】
そして、この操作部１５Ｂが略ドーム状の薄肉部１５Ｆを弾性変形させて下方へ移動し、この下面の可動接点５が複数の固定接点４と接触して、スイッチ接点の電気的接離が行われ、この電気的接離に応じて制御手段１１が、送信手段９から赤外線のリモコン信号を電子機器へ送信し、例えば、エアコンの暖房運転が遠隔操作によって行われる。
【００３８】
さらに、扉体６を左方へ摺動し、扉体６が開いた状態で、ケース１上面から突出した所定の操作部、例えば操作部１５Ｂを押圧操作すると、略ドーム状の薄肉部１５Ｆが弾性変形して操作部１５Ｂが下方へ移動し、この下面の可動接点５が複数の固定接点４と接触して、スイッチ接点の電気的接離が行われる。
【００３９】
そして、この電気的接離に応じて制御手段１１が送信手段９からリモコン信号を送信するが、この時、扉体６と配線基板３の間に別途設けられた検知スイッチ（図示せず）等によって、扉体６が開いた状態であることを制御手段１１が検出し、上記の押圧部７Ｂを介して押圧操作した場合とは異なるリモコン信号を電子機器へ送信して、例えば、風量や風向の切換え等が遠隔操作によって行われる。
【００４０】
つまり、制御手段１１が検知スイッチ等によって扉体６の開閉状態を検出し、複数の押圧部７Ａや７Ｂ等と操作部１５Ｂ等のどちらが操作されたかを判別して、扉体６が開いて操作部１５Ｂ等を直接押圧操作した場合と、扉体６が閉じて押圧部７Ａや７Ｂ等を介して押圧操作した場合とでは、異なるリモコン信号を送信することによって、遠隔操作する機能を増やし、機器のより多様な操作が可能なように構成されている。
【００４１】
そして、本発明においては、操作部１５Ｂ等に比べ高さ寸法も幅寸法も大きく、ケース１上面から直接突出した操作部１５Ａの、中央部ではなく端部を押圧操作した場合でも、ベース部１５Ｇから上方へ延出する略額縁状の脚部１５Ｈによって、操作部１５Ａ外周の薄肉部１５Ｆが上方に形成されているため、操作部１５Ａの傾きが小さなものとなり、戻り不良等を防ぐことができるようになっている。
【００４２】
すなわち、図４（ａ）の部分断面図に示すように、操作部１５Ａの中央部ではなく端部、例えば左端部を指で押圧操作した場合には、全周に形成された薄肉部１５Ｆのうち、右側の薄肉部１５Ｆは殆んど弾性変形せず、左側の薄肉部１５Ｆのみが弾性変形して、右側の薄肉部１５Ｆ下端を支点として操作部１５Ａが左側へ傾く。
【００４３】
しかし、薄肉部１５Ｆとベース部１５Ｇの間には、上方へ延出する略額縁状の脚部１５Ｈが設けられ、支点となる薄肉部１５Ｆ下端が上方に位置し、操作部１５Ａ左端部と右側の薄肉部１５Ｆ下端との寸法が短くなっているため、図４（ｂ）に示すように、下面の可動接点５が固定接点４と接触した状態でも、操作部１５Ａが大きく傾くことはなく、左端上面はケース１上面とほぼ同じ高さであるため、この状態で指を離すと、薄肉部１５Ｆの弾性復帰力によって、操作部１５Ａが元の状態に復帰する。
【００４４】
つまり、薄肉部１５Ｆとベース部１５Ｇの間に、上方へ延出する略額縁状の脚部１５Ｈを設け、操作部１５Ａ外周の薄肉部１５Ｆを上方に形成することによって、操作部１５Ａの端部を押圧操作した場合でも、押圧される操作部１５Ａ端部と支点となる薄肉部１５Ｆ下端との寸法が短くなっているため、傾きが小さくなり、操作部１５Ａの戻り不良や誤操作等が生じることを防ぎ、確実な操作が行えるように構成されている。
【００４５】
また、このように操作部１５Ａ外周の上方に薄肉部１５Ｆを形成することで、図５の断面図や図６の部分斜視図に示すように、操作部１５Ａ下面に窪部１５Ｋを設けると共に、この窪部１５Ｋ内に発光ダイオード等の発光素子１６を収納し、この光を脚部１５Ｈの開口孔から、透明または乳白色等の光透過性の導光体１７に入射させて、液晶表示素子等の表示手段１０を下面から照光することも可能となる。
【００４６】
すなわち、このような発光素子１６で表示手段１０の照光を行う場合、通常は操作体１５右端と導光体１７の間の配線基板３上に、発光素子１６を配置するスペースが必要となるが、本発明においては、薄肉部１５Ｆが操作部１５Ａ外周の上方に形成され、操作部１５Ａ下面に窪部１５Ｋを設けることができるため、これに発光素子１６を収納することで、この分だけ配線基板３の左右方向の寸法を短くし、全体の小型化が図れるようになっている。
【００４７】
このように本実施の形態によれば、操作体１５の操作部１５Ａの薄肉部１５Ｆとベース部１５Ｇの間に、上方へ延出する略額縁状の脚部１５Ｈを設けることで、ベース部１５Ｇから上方へ延出する略額縁状の脚部１５Ｈによって、操作部１５Ａ外周の薄肉部１５Ｆが上方に形成され、端部を押圧操作した場合でも、操作部１５Ａの傾きを小さなものにできるため、操作部１５Ａの戻り不良を防ぎ、確実な操作が可能なリモコン送信機を得ることができるものである。
【００４８】
また、操作体１５の操作部１５Ａ下面に窪部１５Ｋを設け、この窪部１５Ｋ内に発光素子１６を収納することによって、左右方向の寸法を短くし、全体の小型化を図ることができる。
【産業上の利用可能性】
【００４９】
本発明によるリモコン送信機は、操作部の戻り不良を防ぎ、確実な操作が可能なものを得ることができるという有利な効果を有し、主に各種電子機器の遠隔操作用として有用である。
【符号の説明】
【００５０】
１  ケース
３  配線基板
４  固定接点
５  可動接点
６  扉体
７  押圧体
７Ａ、７Ｂ  押圧部
８  保持板
９  送信手段
１０  表示手段
１１  制御手段
１２  カバー
１５  操作体
１５Ａ、１５Ｂ  操作部
１５Ｆ  薄肉部
１５Ｇ  ベース部
１５Ｈ  脚部
１５Ｋ  窪部
１６  発光素子
１７  導光体
【図１】
2013157970.tif 000003
【図２】
2013157970.tif 000004
【図３】
2013157970.tif 000005
【図４】
2013157970.tif 000006
【図５】
2013157970.tif 000007
【図６】
2013157970.tif 000008
【図７】
2013157970.tif 000009
【図８】
2013157970.tif 000010
【図９】
2013157970.tif 000011
【図１０】
2013157970.tif 000012